(57)【要約】【課題】テレビ受像機と、該テレビ受像機に映像信号を出力する映像信号出力装置とを備えた映像表示システムにおいて、映像信号出力装置を操作するための操作画面の表示形態を統一し、操作性の向上を図る。【解決手段】テレビ受像機３と、前記テレビ受像機３に接続されたディジタルチューナ装置２を有する映像表示システム１において、ユーザがリモコン装置３０を用いて、ディジタルチューナ装置２の操作をテレビ受像機３中のリモコン受信部３３に対して指示すると、ディジタルチューナ装置２は、操作画面に表示すべき表示項目情報を抽出し、テレビ受像機３へ出力する。テレビ受像機３は、ディジタルチューナ装置２から受信された表示項目情報をもとに、予め定められた表示形態に従って操作画面を作成し、表示部３８に表示する。【選択図】　　　　図１
2004096659.tif 000002
【特許請求の範囲】
【請求項１】
テレビ受像機と、該テレビ受像機に映像信号を出力する１以上の映像信号出力装置とを備えた映像表示システムにおいて、
前記テレビ受像機は、前記１以上の映像信号出力装置の操作を指示する操作信号を操作装置から受信する操作信号受信部と、それらの操作信号をもとに操作制御情報を生成する第１の制御部と、前記第１の制御部により生成された操作制御情報をそれぞれ前記１以上の対応する映像信号出力装置に送信する第１の通信制御部とを備え、
前記各映像信号出力装置は、前記テレビ受像機の第１の通信制御部からの操作制御情報を受信する第２の通信制御部と、受信された操作制御情報に基づいて、操作画面に表示すべき表示項目を示す表示項目情報を出力する第２の制御部とを備え、
前記第２の通信制御部は、第２の制御部から出力された表示項目情報を前記テレビ受像機の第１の通信制御部に送信し、前記第１の制御部は、前記第１の通信制御部で受信された各表示項目情報に基づいて、映像信号出力装置を操作するための操作項目を前記テレビ受像機の表示画面上に表示することを特徴とする映像表示システム。
【請求項２】
前記テレビ受像機は、さらに、各映像信号出力装置に対応して表示される操作画面の画面構成、解像度、文字サイズ、表示領域サイズ等の表示形態情報を格納したメモリを備え、前記第１の制御部は、前記メモリに格納された表示形態情報に基づいて、前記操作画面を作成することを特徴とする請求項１記載の映像表示システム。
【請求項３】
前記テレビ受像機は、さらに、画像処理部を備え、
前記画像処理部は、テレビ受像機に入力する映像信号および１以上の映像信号出力装置から入力される映像信号を選択して、前記操作画面に対応して前記テレビ受像機の表示画面上に表示される映像信号を生成することを特徴とする請求項２記載の映像表示システム。
【請求項４】
テレビ受像機と、該テレビ受像機に映像信号を出力する１以上の映像信号出力装置とを備えた映像表示システムで使用されるテレビ受像機において、
前記１以上の映像信号出力装置の操作を指示する操作信号を操作装置から受信する操作信号受信部と、その操作信号をもとに操作制御情報を生成する制御部と、前記制御部により生成された操作制御情報をそれぞれ前記１以上の対応する前記映像信号出力装置に送信する通信制御部とを備え、
前記通信制御部からの操作制御情報に基づいて前記各映像信号出力装置から送信された表示項目情報を前記通信制御部で受信し、受信した前記各表示項目情報に基づいて、前記各映像信号出力装置を操作するための操作項目を表示画面上に表示することを特徴とするテレビ受像機。
【請求項５】
各映像信号出力装置に対応して表示される操作画面の画面構成、解像度、文字サイズ、表示領域サイズ等の表示形態情報を格納したメモリをさらに備え、前記制御部は、前記メモリに格納された表示形態情報に基づいて、前記操作画面を作成することを特徴とする請求項４記載のテレビ受像機。
【請求項６】
画像処理部をさらに備え、
前記画像処理部は、テレビ受像機に入力する映像信号および１以上の映像信号出力装置から入力される映像信号を選択して、前記操作画面に対応して前記表示画面上に表示される映像信号を生成することを特徴とする請求項５記載のテレビ受像機。
【請求項７】
テレビ受像機と、該テレビ受像機に映像信号を出力する１以上の映像信号出力装置とを備えた映像表示システムで使用される映像信号出力装置において、
前記テレビ受像機からの操作制御情報を受信する通信制御部と、受信した前記操作制御情報に基づいて、該映像信号出力装置を操作するための操作項目を前記テレビ受像機の表示画面上に表示するための表示項目情報を出力する制御部とを備え、
前記表示項目情報を前記通信制御部を介してテレビ受像機に送信することを特徴とする映像信号出力装置。
【請求項８】
前記映像信号出力装置は、さらに、前記テレビ受像機の表示画面上に表示される操作画面の画面構成、解像度、文字サイズ、表示領域サイズ等の表示形態情報を格納したメモリを備え、前記制御部は、前記メモリに格納された表示形態情報に基づいて、表示項目情報を生成することを特徴とする請求項７記載の映像信号出力装置。
【発明の詳細な説明】
【０００１】
【発明の属する技術分野】
本発明は、テレビ受像機と、該テレビ受像機に映像信号を出力する映像信号出力装置とを備えた映像表示システム、この映像表示システムで用いられるテレビ受像機および映像信号出力装置に関する。
【０００２】
【従来の技術】
近年、衛星放送チューナ、ビデオテープレコーダ、ゲーム装置やＤＶＤプレーヤなど、テレビ受像機に外部接続され、テレビ受像機に映像信号を出力する映像信号出力装置が数多く普及している。また、これら映像信号出力装置の普及に伴い、１台のテレビ受像機に複数の映像信号出力装置が接続されることも多くなっている。
【０００３】
映像信号出力装置の多くは、テレビ受像機に接続されることを前提としているため、大型の表示画面を備えていない。ユーザが映像信号出力装置を操作する場合、映像信号出力装置の動作状態や各種設定内容をユーザに通知する必要があるが、この場合、映像信号出力装置は、その動作状態や各種設定内容を示す操作画面を表示するための映像信号を生成し、生成した映像信号をテレビ受像機へ出力することにより、テレビ受像機上に操作画面を表示させていた。
【０００４】
【発明が解決しようとする課題】
上述したように、テレビ受像機は、映像信号出力装置から入力された映像信号をもとに操作画面を表示するだけであったので、表示される操作画面の画面構成、解像度、文字サイズ、表示領域サイズ等の表示形態は、各映像信号出力装置に依存していた。このため、映像信号出力装置ごとに表示形態が異なった操作画面がテレビ受像機上に表示されていたので、ユーザに煩雑な印象を与えてしまうという問題があった。
【０００５】
また、１台のテレビ受像機に複数の映像信号出力装置を接続した場合、テレビ受像機上に表示された複数の操作画面の表示形態に統一感が無いことから、操作画面上の操作がより煩雑になり、操作性が低下してしまうという問題があった。
【０００６】
そこで、本発明は、テレビ受像機に外部接続される映像信号出力装置を操作するための操作画面の表示形態を統一することにより、操作性の向上を図ることを目的とする。
【０００７】
【課題を解決するための手段】
上記課題を解決するため、第１の発明は、テレビ受像機と、該テレビ受像機に映像信号を出力する１以上の映像信号出力装置とを備えた映像表示システムにおいて、
前記テレビ受像機は、前記１以上の映像信号出力装置の操作を指示する操作信号を操作装置から受信する操作信号受信部と、それらの操作信号をもとに操作制御情報を生成する第１の制御部と、前記第１の制御部により生成された操作制御情報をそれぞれ前記１以上の対応する映像信号出力装置に送信する第１の通信制御部とを備え、
前記各映像信号出力装置は、前記テレビ受像機の第１の通信制御部からの操作制御情報を受信する第２の通信制御部と、受信された操作制御情報に基づいて、操作画面に表示すべき表示項目を示す表示項目情報を出力する第２の制御部とを備え、
前記第２の通信制御部は、第２の制御部から出力された表示項目情報を前記テレビ受像機の第１の通信制御部に送信し、前記第１の制御部は、前記第１の通信制御部で受信された各表示項目情報に基づいて、映像信号出力装置を操作するための操作項目を前記テレビ受像機の表示画面上に表示することを特徴とする。
【０００８】
前記第１の発明によれば、テレビ受像機と、該テレビ受像機に映像信号を出力する１以上の映像信号出力装置とを備えた映像表示システムにおいて、テレビ受像機は、操作信号受信部によって１以上の映像信号出力装置の操作を指示する操作信号を操作装置から受信して、受信した操作信号をもとに第１の制御部によって操作制御情報を生成し、生成された操作制御情報を、第１の通信制御部によって、それぞれ１以上の対応する映像信号出力装置に送信する。映像信号出力装置は、テレビ受像機の第１の通信制御部からの操作制御情報を第２の通信制御部によって受信し、受信された操作制御情報に基づいて、第２の制御部によって操作画面に表示すべき表示項目を示す表示項目情報を出力し、第２の通信制御部によって、出力された表示項目情報をテレビ受像機の第１の通信制御部に送信する。そして、テレビ受像機の第１の制御部は、第１の通信制御部で受信した各表示項目情報に基づいて、映像信号出力装置を操作するための操作項目をテレビ受像機の表示画面上に表示する。すなわち、テレビ受像機の表示画面上に表示される操作画面は、映像信号出力装置から出力される表示項目情報に基づいて表示される。また、表示項目情報は、操作画面に表示すべき表示項目を示す情報である。このため、操作画面の表示形態をテレビ受像機によって決定することができるので、映像信号出力装置の種類に関わらず、操作画面の表示形態を統一することができ、操作性の向上を図ることができる。また、ユーザがテレビ受像機に対して操作装置を操作すると、その操作の内容に応じた操作制御信号が映像信号出力装置へ送信されるので、ユーザは、テレビ受像機に対する操作によって映像信号出力装置を操作することができ、より一層の操作性の向上を図ることができる。
【０００９】
第２の発明は、前記第１の発明の映像表示システムにおいて、前記テレビ受像機は、さらに、各映像信号出力装置に対応して表示される操作画面の画面構成、解像度、文字サイズ、表示領域サイズ等の表示形態情報を格納したメモリを備え、前記第１の制御部は、前記メモリに格納された表示形態情報に基づいて、前記操作画面を作成することを特徴とする。
【００１０】
前記第２の発明の映像表示システムによれば、テレビ受像機は、各映像信号出力装置に対応して表示される操作画面の画面構成、解像度、文字サイズ、表示領域サイズ等の表示形態情報をメモリに格納し、第１の制御部によって、メモリに格納された表示形態情報に基づいて操作画面を作成するので、映像信号出力装置を操作するための操作画面は、メモリに格納された表示形態情報に従った形態となる。これにより、操作画面の表示形態を明確に定義することができ、テレビ受像機において操作画面の表示形態を決定する処理の効率化を図ることができる。また、複数の表示形態情報をメモリに格納した場合、テレビ受像機および映像信号出力装置の動作状態やテレビ受像機に接続された映像信号出力装置の数に応じて適切な表示形態情報を用いることが可能であり、常に適切な表示形態で操作画面を表示することができる。
【００１１】
第３の発明は、前記第２の発明の映像表示システムにおいて、前記テレビ受像機は、さらに、画像処理部を備え、前記画像処理部は、テレビ受像機に入力する映像信号および１以上の映像信号出力装置から入力される映像信号を選択して、前記操作画面に対応して前記テレビ受像機の表示画面上に表示される映像信号を生成することを特徴とする。
【００１２】
前記第３の発明の映像表示システムによれば、テレビ受像機は、画像処理部によって、テレビ受像機に入力する映像信号および１以上の映像信号出力装置から入力される映像信号を選択して、操作画面に対応してテレビ受像機の表示画面上に表示される映像信号を生成するので、複数の映像信号の中から、操作画面に対応する映像信号を選択して操作画面とともに表示画面上に表示することができる。これにより、表示画面上における操作画面の表示と映像の表示とを整合させて、より一層の操作性の向上を図ることができる。
【００１３】
第４の発明は、テレビ受像機と、該テレビ受像機に映像信号を出力する１以上の映像信号出力装置とを備えた映像表示システムで使用されるテレビ受像機において、
前記１以上の映像信号出力装置の操作を指示する操作信号を操作装置から受信する操作信号受信部と、その操作信号をもとに操作制御情報を生成する制御部と、前記制御部により生成された操作制御情報をそれぞれ前記１以上の対応する前記映像信号出力装置に送信する通信制御部とを備え、
前記通信制御部からの操作制御情報に基づいて前記各映像信号出力装置から送信された表示項目情報を前記通信制御部で受信し、受信した前記各表示項目情報に基づいて、前記各映像信号出力装置を操作するための操作項目を表示画面上に表示することを特徴とする。
【００１４】
前記第４の発明のテレビ受像機によれば、テレビ受像機と、該テレビ受像機に映像信号を出力する１以上の映像信号出力装置とを備えた映像表示システムで使用されるテレビ受像機において、１以上の映像信号出力装置の操作を指示する操作信号を操作装置から受信し、受信した操作信号をもとに操作制御情報を生成し、生成した操作制御情報をそれぞれ１以上の対応する映像信号出力装置に送信し、操作制御情報に基づき各映像信号出力装置から送信された表示項目情報を受信し、受信した表示項目情報に基づいて、各映像信号出力装置を操作するための操作項目を表示画面上に表示する。このため、本発明のテレビ受像機は、映像信号出力装置の操作画面の表示形態を決定することができるので、映像信号出力装置の種類に関わらず、操作画面の表示形態を統一することができ、操作性の向上を図ることができる。また、ユーザがテレビ受像機に対して操作装置を操作すると、その操作に応じた操作制御信号を映像信号出力装置へ送信するので、ユーザはテレビ受像機に対する操作によって映像信号出力装置を操作することができ、より一層の操作性の向上を図ることができる。
【００１５】
第５の発明は、前記第４の発明のテレビ受像機において、各映像信号出力装置に対応して表示される操作画面の画面構成、解像度、文字サイズ、表示領域サイズ等の表示形態情報を格納したメモリをさらに備え、前記制御部は、前記メモリに格納された表示形態情報に基づいて、前記操作画面を作成することを特徴とする。
【００１６】
前記第５の発明のテレビ受像機によれば、各映像信号出力装置に対応して表示される操作画面の画面構成、解像度、文字サイズ、表示領域サイズ等の表示形態情報をメモリに格納し、制御部によって、メモリに格納された表示形態情報に基づいて操作画面を作成するので、操作画面の表示形態を明確に定義することができ、テレビ受像機において操作画面の表示形態を決定する処理の効率化を図ることができる。また、複数の表示形態情報をメモリに格納した場合、テレビ受像機は、テレビ受像機および映像信号出力装置の動作状態やテレビ受像機に接続された映像信号出力装置の数に応じて、適切な表示形態を用いることが可能であり、操作画面の表示形態を常に適切な形態にすることができる。
【００１７】
第６の発明は、前記第５の発明のテレビ受像機において、画像処理部をさらに備え、前記画像処理部は、テレビ受像機に入力する映像信号および１以上の映像信号出力装置から入力される映像信号を選択して、前記操作画面に対応して前記表示画面上に表示される映像信号を生成することを特徴とする。
【００１８】
前記第６の発明によれば、画像処理部により、テレビ受像機に入力する映像信号および１以上の映像信号出力装置から入力される映像信号を選択して、操作画面に対応して表示画面上に表示される映像信号を生成するので、複数の映像信号の中から、操作画面に対応する映像信号を選択して操作画面とともに表示画面上に表示することができる。これにより、表示画面上における操作画面の表示と映像の表示とを整合させて、より一層の操作性の向上を図ることができる。
【００１９】
第７の発明は、テレビ受像機と、該テレビ受像機に映像信号を出力する１以上の映像信号出力装置とを備えた映像表示システムで使用される映像信号出力装置において、
前記テレビ受像機からの操作制御情報を受信する通信制御部と、受信した前記操作制御情報に基づいて、該映像信号出力装置を操作するための操作項目を前記テレビ受像機の表示画面上に表示するための表示項目情報を出力する制御部とを備え、
前記表示項目情報を前記通信制御部を介してテレビ受像機に送信することを特徴とする映像信号出力装置。
【００２０】
前記第７の発明の映像信号出力装置によれば、テレビ受像機と、該テレビ受像機に映像信号を出力する１以上の映像信号出力装置とを備えた映像表示システムで使用される映像信号出力装置において、テレビ受像機からの操作制御情報を受信し、受信した操作制御情報に基づいて、該映像信号出力装置を操作するための操作項目をテレビ受像機の表示画面上に表示するための表示項目情報を、テレビ受像機に送信するので、映像信号出力装置を操作するための操作画面の表示形態をテレビ受像機に決定させることで、操作画面の表示形態を統一することができ、操作性の向上を図ることができる。
【００２１】
第８の発明は、前記第７の発明の映像信号出力装置において、さらに、前記テレビ受像機の表示画面上に表示される操作画面の画面構成、解像度、文字サイズ、表示領域サイズ等の表示形態情報を格納したメモリを備え、前記制御部は、前記メモリに格納された表示形態情報に基づいて、表示項目情報を生成することを特徴とする。
【００２２】
前記第８の発明の映像信号出力装置によれば、テレビ受像機の表示画面上に表示される操作画面の画面構成、解像度、文字サイズ、表示領域サイズ等の表示形態情報をメモリに格納し、このメモリに格納された表示形態情報に基づいて、表示項目情報を生成するので、操作画面の表示形態を明確に指定することができる上、テレビ受像機において操作画面の表示形態を決定する処理を略することで効率化を図ることができる。また、複数の表示形態情報をメモリに格納した場合、テレビ受像機および映像信号出力装置の動作状態やテレビ受像機に接続された映像信号出力装置の数に応じて、適切な表示形態を用いることが可能であり、操作画面の表示形態を常に適切な形態にすることができる。
【００２３】
【発明の実施の形態】
以下、本発明の実施の形態について詳細に説明する。
図１は、本発明の実施の形態における映像表示システム１の概略構成を示す外観図である。図１に示すように、映像表示システム１は、ディジタルチューナ装置２（映像信号出力装置）と、映像信号用ケーブル１１および通信用ケーブル１２を介してディジタルチューナ装置２に接続されたテレビ受像機３とを備えて構成される。
【００２４】
また、映像表示システム１は、テレビ受像機３を操作するためのリモコン装置（操作装置）３０を備える。リモコン装置３０は、ユーザが操作する操作部を備えており、この操作部における操作に応じてコマンド（操作信号）を生成し、テレビ受像機３に対して赤外線信号または無線信号として送信する。
【００２５】
ディジタルチューナ装置２は、例えばＢＳ（Ｂｒｏａｄｃａｓｔｉｎｇ　Ｓａｔｅｌｌｉｔｅ）ディジタル放送、ＣＳ（Ｃｏｍｍｕｎｉｃａｔｉｏｎｓ　Ｓａｔｅｌｌｉｔｅ）ディジタル放送、地上波ディジタル放送などのディジタル放送の放送信号を受信・選局して映像信号を生成し、映像信号用ケーブル１１を介してテレビ受像機３に出力する。テレビ受像機３は、地上波テレビ放送の放送信号を受信して映像を表示し、また、ディジタルチューナ装置２から入力される映像信号に基づく映像を表示する。
【００２６】
図２は、ディジタルチューナ装置２およびテレビ受像機３の機能的構成を示すブロック図である。
図２に示すように、ディジタルチューナ装置２は、制御部２１、メモリ２２、リモコン受信部２３、通信制御部２４　チューナ制御部２５、ディジタルチューナ２６、およびデコーダ２７の各部を備える。また、ディジタルチューナ装置２は、通信端子２４ａ、放送信号入力端子２６ａ、および、映像出力端子２７ａを備える。
【００２７】
テレビ受像機３は、制御部３１、メモリ３２、リモコン受信部（操作信号受信部）３３、通信制御部３４、チューナ３５、画像処理部３６、表示制御部３７、および表示部（表示画面）３８の各部を備える。また、テレビ受像機３は、通信端子３４ａ、放送信号入力端子３５ａ、および、映像信号入力端子３６ａを備える。
【００２８】
そして、ディジタルチューナ装置２が備える映像出力端子２７ａとテレビ受像機３が備える映像信号入力端子３６ａとは、映像信号用ケーブル１１を介して接続される。また、ディジタルチューナ装置２が備える通信端子２４ａとテレビ受像機３が備える通信端子３４ａとは、通信用ケーブル１２を介して接続される。
【００２９】
なお、ディジタルチューナ装置２およびテレビ受像機３は、図２に示す機能ブロックに加えて、音声信号を処理する各部を備えているが、これらの各部は本発明と直接的な関係がないので、図示および説明を省略する。
【００３０】
以下、図２を参照して、ディジタルチューナ装置２およびテレビ受像機３の構成について説明する。
制御部２１は、リモコン装置３０からリモコン受信部２３を介して入力される制御情報に従って、メモリ２２に格納された制御プログラムを読み出して実行することにより、ディジタルチューナ装置２の各部を制御する。また、制御部２１は、通信制御部２４から制御情報が入力された場合も、該制御情報に従って、メモリ２２に格納された制御プログラムを読み出して実行することにより、ディジタルチューナ装置２の各部を制御する。
【００３１】
そして、制御部２１は、通信制御部２４から、受信すべきチャンネルを指定する制御情報が入力された場合、入力された制御情報に基づいて、チューナ制御部２５に対して受信するチャンネルを指定する。
【００３２】
また、制御部２１は、通信制御部２４から動作開始を指示する制御情報が入力された場合、メモリ２２に記憶された表示項目情報を抽出して、通信制御部２４へ出力する。
【００３３】
そして、制御部２１は、リモコン受信部２３または通信制御部２４から、操作画面に表示された表示項目のうち特定の表示項目を選択する制御情報が入力された場合に、選択された表示項目に対応する処理を実行し、処理内容をメモリ２２に記憶する。ここで実行される処理とは、受信するチャンネルを指定する処理や計時機能を設定する処理等である。
【００３４】
その後、制御部２１は、テレビ受像機３の画面上に新たな操作画面を表示させるため、メモリ２２に記憶された表示項目情報の中から新たな表示項目情報を抽出して、通信制御部２４へ出力する。
【００３５】
メモリ２２は、制御部２１により実行される制御プログラム、および、この制御プログラムに係るデータ、および、上記処理内容等を記憶する。また、メモリ２２は、ディジタルチューナ装置２を操作する操作画面を表示するための表示項目情報を記憶している。
【００３６】
操作画面には、ディジタルチューナ装置２の動作に対応する複数の項目が一覧表示される。これら複数の項目のうち、ユーザが特定の項目を選択すると、ディジタルチューナ装置２が選択された項目に対応する処理を実行する構成となっている。メモリ２２に格納される表示項目情報は、操作画面に表示される表示項目を示す情報であって、この表示項目情報を参照することにより、どのような表示項目を操作画面に表示するかを特定できる。なお、メモリ２２は、それぞれ異なる操作画面に対応する複数の表示項目情報を記憶している。
【００３７】
リモコン受信部２３は、ディジタルチューナ装置２用のリモコン装置（図示省略）から送信されるコマンドを受信する。なお、本実施の形態においては、ディジタルチューナ装置２は、テレビ受像機３の方から通信制御部２４を介して操作されるので、リモコン受信部２３がリモコン装置から直接にコマンドを受信することはない。
【００３８】
通信制御部２４は、通信端子２４ａおよび通信用ケーブル１２を介して、テレビ受像機３が有する通信制御部３４との間で、所定の通信プロトコルに基づいて各種情報を送受信する。
そして、通信制御部２４は、テレビ受像機３から送信された制御情報を通信端子２４ａを介して受信し、受信した制御情報を制御部２１へ出力する。また、通信制御部２４は、制御部２１から入力される表示項目情報を、通信端子２４ａを介してテレビ受像機３へ送信する。
【００３９】
チューナ制御部２５は、ディジタルチューナ２６を制御して、制御部２１により指定されたチャンネルの放送信号をディジタルチューナ２６によって選局する。
【００４０】
ディジタルチューナ２６は、アンテナに接続された放送信号入力端子２６ａを備え、放送信号入力端子２６ａから入力されるディジタル放送信号を復調する。そして、ディジタルチューナ２６は、チューナ制御部２５の制御に従って、復調したディジタル放送信号から指定されたチャンネルのディジタル放送信号を分離・抽出し、デコーダ２７へ出力する。
【００４１】
デコーダ２７は、ディジタルチューナ２６から入力されるディジタル放送信号のスクランブル解除およびデコードを実行することによって映像信号を生成し、映像出力端子２７ａおよび映像信号用ケーブル１１を介して、テレビ受像機３の映像信号入力端子３６ａに出力する。
【００４２】
テレビ受像機３が有する制御部３１は、リモコン受信部３３から入力される制御情報に従って、メモリ３２に格納された制御プログラムを読み出して実行することにより、テレビ受像機３の各部を制御する。
【００４３】
そして、制御部３１は、リモコン受信部３３から入力された制御情報が、放送信号入力端子３５ａから入力される映像を選択する情報であった場合、チューナ３５に対して受信すべきチャンネルを指定し、画像処理部３６に、チューナ３５から入力される映像を選択するよう指示する選択信号を出力する。
また、制御部３１は、リモコン受信部３３から入力される制御情報が、ディジタルチューナ装置２から入力される映像を選択する情報であった場合、画像処理部３６に対して、映像信号入力端子３６ａを介して入力される映像信号を選択するよう指示する選択信号を出力する。
【００４４】
また、制御部３１は、リモコン受信部３３を介して、リモコン装置３０から、ディジタルチューナ装置２の動作開始を指示するコマンドを受信した場合、リモコン受信部３３が受信したコマンドと同内容の制御情報を生成し、通信制御部３４へ出力する。さらに、ディジタルチューナ装置２から送信された表示項目情報が通信制御部３４から入力されると、制御部３１は、入力された表示項目情報に基づいて、メモリ３２が記憶する表示形態情報に従った表示形態を有する操作画面を作成し、作成した操作画面を画像処理部３６へ出力する。
【００４５】
メモリ３２は、制御部３１により実行される制御プログラム、および、この制御プログラムに係るデータ等を記憶する。また、メモリ３２は、テレビ受像機３の操作画面の表示形態情報を記憶する。この表示形態情報は、操作画面の画面構成、解像度、文字サイズ、表示領域サイズ等、操作画面の表示形態を定める情報である。
【００４６】
リモコン受信部３３は、リモコン装置３０から赤外線信号または無線信号として送信されるコマンドを受信し、受信したコマンドを制御部３１に出力する。
【００４７】
通信制御部３４は、通信端子３４ａおよび通信用ケーブル１２を介して、ディジタルチューナ装置２が有する通信制御部２４との間で、所定の通信プロトコルに基づいて各種情報を送受信する。
そして、通信制御部３４は、制御部３１から入力される制御情報を、通信端子３４ａおよび通信用ケーブル１２を介してディジタルチューナ装置２へ送信する。また、通信制御部３４は、ディジタルチューナ装置２から送信された表示項目情報を通信用ケーブル１２および通信端子３４ａを介して受信し、制御部３１へ出力する。
【００４８】
チューナ３５は、アンテナに接続された放送信号入力端子３５ａを備え、放送信号入力端子３５ａを介して入力される放送信号から、制御部３１により指定されたチャンネルの放送信号を選局して復調することにより映像信号を生成し、画像処理部３６へ出力する。
【００４９】
画像処理部３６は、制御部３１から入力される選択信号に従って、チューナ３５から入力される映像信号、および、映像信号入力端子３６ａを介してディジタルチューナ装置２から入力される映像信号のうち１以上の映像信号を選択し、選択した映像信号を処理してＲＧＢ信号を生成し、表示制御部３７へ出力する。
また、画像処理部３６は、制御部３１によって作成された操作画面表示情報が入力された場合、該操作画面を表示するためのＲＧＢ信号を生成し、表示制御部３７へ出力する。
【００５０】
表示制御部３７は、画像処理部３６から入力されるＲＧＢ信号に基づいて、表示部３８の画面上に映像を表示させる。
【００５１】
表示部３８は、ＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）等の表示画面を備え、表示制御部３７の制御に従って映像を表示する。
【００５２】
次に、図３および図４を参照して、本発明の実施の形態における映像表示システム１の動作を説明する。具体的には、図３はテレビ受像機３上に操作画面を表示するまでの手順を示すフローチャートであり、図４はテレビ受像機３に表示された操作画面に従ってディジタルチューナを操作する手順を示すフローチャートである。図３および図４中、（ａ）はリモコン装置３０の動作を示し、（ｂ）はテレビ受像機３の動作を示し、（ｃ）はディジタルチューナ装置２の動作を示す。
【００５３】
図３および図４に示す動作では、まず、ユーザの操作に従って、リモコン装置３０がコマンドを送信する（図３（ａ）のステップＳ１）。
【００５４】
ここで、テレビ受像機３が有するリモコン受信部３３が、リモコン装置３０から送信されたコマンドを受信すると（図３（ａ）のステップＳ１１）、制御部３１は、受信されたコマンドが、ディジタルチューナ装置２の動作開始を指示するものか否かを判別する（ステップＳ１２）。
【００５５】
ここで、ディジタルチューナ装置２の操作開始を指示するコマンドでない場合（ステップＳ１２でＮｏの場合）、制御部３１は、リモコン受信部３３が受信したコマンドに従って、通常のテレビ受像機としての動作を実行する（ステップＳ１３）。ステップＳ１３における動作は、例えば、音量の変更や選局するチャンネルの変更等の動作である。その後、制御部３１の動作はステップＳ１１に戻る。
【００５６】
また、リモコン受信部３３が受信したコマンドが、ディジタルチューナ装置２の操作の開始を指示するコマンドであった場合（ステップＳ１２でＹｅｓの場合）、制御部３１は、リモコン受信部３３が受信したコマンドと同内容の制御情報を生成して通信制御部３４に出力し、通信制御部３４は、入力された制御情報をディジタルチューナ装置２へ送信する（ステップＳ１４）。
【００５７】
ディジタルチューナ装置２において、通信制御部２４が、テレビ受像機３から送信された制御情報を受信すると（図３（ｂ）のステップＳ３１）、制御部２１は、メモリ２２に記憶された表示項目情報を抽出し（ステップＳ３２）、抽出した表示項目情報を通信制御部２４に出力し、通信制御部２４は、入力された表示項目情報をテレビ受像機３へ送信する（ステップＳ３３）。
【００５８】
そして、テレビ受像機３において、通信制御部３４が、テレビ受像機３から送信された表示項目情報を受信すると（図３（ａ）のステップＳ１５）、制御部３１は、通信制御部３４により受信された表示項目情報に基づいて操作画面表示情報を作成する（ステップＳ１６）。
すなわち、このステップＳ１６において、制御部３１は、予めメモリ３２に記憶された表示形態情報を参照し、この表示形態情報により定められた表示形態、すなわち操作画面の画面構成、解像度、文字サイズ、表示領域サイズを有する操作画面表示情報を作成する。
【００５９】
そして、制御部３１は、ステップＳ１６で作成した操作画面表示情報を画像処理部３６へ出力し、画像処理部３６および表示制御部３７は、制御部３１により作成された操作画面表示情報に基づいて操作画面を表示部３８上に表示する（ステップＳ１７）。
【００６０】
その後、ユーザは表示部３８上に表示された操作画面に従って、ディジタルチューナ装置２を操作するためのコマンドをリモコン装置３０からテレビ受像機３へ送信する（図４（ａ）のステップＳ２）。
テレビ受像機３において、リモコン装置３０から送信されたコマンドをリモコン受信部３３が受信すると（図４（ａ）のステップＳ１８）、制御部３１は、リモコン受信部３３が受信したコマンドがディジタルチューナ装置２の動作終了を指示するものか否かを判別する（ステップＳ１９）。
【００６１】
ここで、ディジタルチューナ装置２の動作終了を指示するコマンドでない場合（ステップＳ１９でＮｏの場合）、制御部３１は、リモコン受信部３３が受信したコマンドと同内容の制御情報を生成して通信制御部３４に出力し、通信制御部３４は、入力された制御情報をディジタルチューナ装置２へ送信する（ステップＳ２０）。
【００６２】
ディジタルチューナ装置２において、通信制御部２４が、テレビ受像機３から送信された制御情報を受信すると（図４（ｂ）のステップＳ３４）、制御部２１は、通信制御部２４が受信した制御情報に従って処理を実行し、処理内容をメモリ２２に記憶させる（ステップＳ３５）。続いて、制御部２１は、新たな操作画面に対応する表示項目情報をメモリ２２から抽出して（ステップＳ３６）、通信制御部２４に出力し、通信制御部２４は、入力された表示項目情報をテレビ受像機３へ送信する（ステップＳ３７）。
【００６３】
テレビ受像機３において、通信制御部３４がテレビ受像機３から送信された表示項目情報を受信すると（図４（ａ）のステップＳ２１）、制御部３１は、通信制御部３４が受信した表示項目情報をもとに操作画面表示情報を作成する（ステップＳ２２）。
そして、制御部３１は、作成した操作画面表示情報を画像処理部３６へ出力し、画像処理部３６および表示制御部３７は、制御部３１が作成した操作画面表示情報に基づいて、操作画面を表示部３８上に表示する（ステップＳ２３）。その後、テレビ受像機３の動作はステップＳ１８に戻る。
【００６４】
また、リモコン受信部３３を介してリモコン装置３０から受信したコマンドがディジタルチューナ装置２の操作の終了を指示するものであった場合（ステップＳ１９でＹｅｓの場合）、制御部３１は、画像処理部３６に対する操作画面表示情報の出力を停止し、画像処理部３６および表示制御部３７は、表示部３８に表示中の操作画面を閉じる（ステップＳ２４）。さらに、制御部３１は、リモコン受信部３３が受信したコマンドと同内容の、すなわち動作終了の制御情報を生成して通信制御部３４に出力し、通信制御部３４は、入力された制御情報をディジタルチューナ装置２へ送信する。
【００６５】
ディジタルチューナ装置２において、制御部２１は、通信制御部２４が動作終了の制御情報を受信したか否かを判別し（ステップＳ３８）、通信制御部２４が動作終了の制御情報を受信した場合は、本処理を終了する。また、通信制御部２４が動作終了の制御情報を受信しなかった場合は、ディジタルチューナ装置２の動作はステップＳ３４に戻る。
【００６６】
図５は、図３（ｂ）のステップＳ１７において表示部３８に表示される画面の例を示す図であり、（ａ）は１画面表示の例を示し、（ｂ）は２画面表示の例を示す。
ここで、１画面表示とは、表示部３８に１つの映像を表示した状態を指し、２画面表示とは、表示部３８の画面を２つの領域に分割し、各領域に、チューナ３５から入力される映像信号と、映像信号入力端子３６ａから入力される映像信号とをそれぞれ表示した状態を指す。
【００６７】
図５（ａ）に示す例では、表示部３８の画面上に映像３１１が表示され、さらに映像３１１の下方の余白に操作画面３１２が表示されている。映像３１１は、ディジタルチューナ装置２から受信されたディジタル放送の映像であり、操作画面３１２は、ディジタルチューナ装置２を操作するための操作画面である。操作画面３１２には、ディジタルチューナ装置２に対して動作を指示するための、たとえば、「１．タイマー設定」および「２．節電機能ＯＮ／ＯＦＦ」の２つの表示項目が表示されている。
【００６８】
通常、テレビ受像機において、テレビ受像機やテレビ受像機に接続された映像信号出力装置を操作する際には、すでに画面上に映像が表示されていることが多い。ここで画面全体に操作画面を表示すると、映像の表示が中断されてしまう。このため、表示中の映像を縮小表示することで画面に余白を生じさせ、この余白に、副画面として操作画面を表示する。
【００６９】
図３（ａ）のステップＳ１７において、表示部３８にディジタルチューナ装置２から受信された映像が表示されている場合、テレビ受像機３は、表示中の映像を縮小して画面上に余白を表示させ、副画面として操作画面を表示させる。すなわち、図５（ａ）に示すように、テレビ受像機３は、表示中の映像を縮小した映像３１１を表示し、画面上の余白に、副画面として操作画面３１２を表示させる。
【００７０】
また、図５（ｂ）には、図３（ａ）のステップＳ１７において操作画面を表示する際に、映像が２画面表示され、さらにテレビ受像機３を操作するための操作画面が表示される場合の例を示す。この場合、表示部３８の画面上には、テレビ受像機３の操作画面と、ディジタルチューナ装置２の操作画面と、２画面表表示された映像とが表示される。
この場合、テレビ受像機３は、図５（ｂ）に示すように、テレビ受像機３の映像３０１とディジタルチューナ装置２の映像３１１とを２画面表示された状態で、それらの映像画面の余白に、操作画面３０２と操作画面３１２とを並べて表示する。
【００７１】
図５（ｂ）に示す画面で、操作画面３０２と操作画面３１２は、いずれも制御部３１によって作成された操作画面である。制御部３１は、メモリ３２に記憶された表示形態情報に従って操作画面を作成するので、操作画面３０２と操作画面３１２の表示形態、すなわち画面構成、解像度、文字サイズ、表示領域サイズ等は統一されている。このように、テレビ受像機３においては、複数の操作画面を表示する場合に、それらの全て操作画面を制御部３１によって作成することで、操作画面の表示形態を統一することが可能である。
従って、表示部３８に表示される操作画面の表示形態が常に統一され、ユーザは、表示部３８に表示される全ての操作画面を同じ感覚で操作できる。
【００７２】
以上のように、本発明の実施の形態における映像表示システム１によれば、ディジタルチューナ装置２とテレビ受像機３とが通信用ケーブル１２によって接続されており、ディジタルチューナ装置２を操作するための操作画面をテレビ受像機３上に表示する場合に、表示項目情報をディジタルチューナ装置２からテレビ受像機３へ送信し、テレビ受像機３は、受信された表示項目情報に基づいて、操作画面表示情報を作成して表示部３８に表示する。ここで、テレビ受像機３は、メモリ３２に記憶された表示形態情報に従って操作画面表示情報を作成するので、操作画面の画面構成、解像度、文字サイズ、表示領域サイズ等の表示形態は、テレビ受像機３側の表示形態情報によって決定される。これにより、テレビ受像機３に接続された装置、すなわちディジタルチューナ装置２の操作画面の表示形態がディジタルチューナ装置２側の表示形態情報に依存することなく、テレビ受像機３側の操作画面の表示形態に統一されるので、操作性の向上を図ることができる。
【００７３】
また、テレビ受像機３は、リモコン装置３０から、ディジタルチューナ装置２の操作を指示するコマンドを受信した場合に、受信したコマンドと同内容の制御信号をディジタルチューナ装置２へ送信する。すなわち、リモコン装置３０はテレビ受像機３へコマンドを送信することで、ディジタルチューナ装置２を操作することが可能となる。これにより、１台のリモコン装置３０によってテレビ受像機３とディジタルチューナ装置２を操作することができるので、映像表示システム１における操作性をより一層向上させることができる。
【００７４】
このように、ディジタルチューナ装置２が有する通信制御部２４とテレビ受像機３が有する通信制御部３４とを通信用ケーブル１２で接続して、ディジタルチューナ装置２をテレビ受像機３の画面上で操作することにより、操作性の高い映像表示システム１を実現することができる。
【００７５】
なお、上記実施の形態における映像表示システム１は、ディジタルチューナ装置２が有する通信制御部２４とテレビ受像機３が有する通信制御部３４とが通信用ケーブル１２によって接続される構成としたが、本発明はこれに限定されるものではなく、通信制御部２４と通信制御部３４とを、例えばＢｌｕｅｔｏｏｔｈやＩＥＥＥ８０２．１１等の規格に準じた無線通信により接続しても良いし、赤外線信号を利用した無線通信によって接続しても良い。
【００７６】
また、ディジタルチューナ装置２からテレビ受像機３へ通信用ケーブル１２を介して出力される映像信号の信号形式は、アナログ信号またはディジタル信号のいずれであっても良く、映像出力端子２７ａおよび映像信号入力端子３６ａの具体的な形態は、上記映像信号の信号形式に従って適切なものとすれば良い。
【００７７】
さらに、表示部３８に表示される操作画面は、図５（ａ）および図５（ｂ）に例示したものに限定されず、ディジタルチューナ装置２に対して実行すべき処理を指定するための画面であれば、その用途や形態は特に限定されず、その他、映像表示システム１における細部構成等についても適宜変更可能である。
【００７８】
また、上記実施の形態においては、テレビ受像機３が有するメモリ３２に、表示形態情報が格納される構成としたが、本発明はこれに限定されず、例えば、ディジタルチューナ装置２が有するメモリ２２に表示形態情報を格納する構成としても良い。この場合、操作画面の表示形態をディジタルチューナ装置２によって決定することで、操作画面の表示形態をより明確に定義することで、操作性の向上を図ることができる。
【００７９】
また、上記実施の形態においては、テレビ受像機３に外部接続され、テレビ受像機３に映像信号を出力する装置の一例として、ディジタルチューナ装置２を挙げて説明したが、本発明はこれに限定されるものではなく、ディジタルチューナ装置２に代えて衛星放送チューナ、ビデオテープレコーダ、ＤＶＤプレーヤ、ゲーム装置等の装置をテレビ受像機３に接続することも勿論可能である。
【００８０】
また、上記実施の形態における映像表示システム１においては、テレビ受像機３に対し、映像信号出力装置としてディジタルチューナ装置２のみを接続する構成としたが、本発明はこれに限定されるものではなく、複数の映像信号出力装置をテレビ受像機３に接続することも可能である。以下、この場合について図６および図７を参照して説明する。
【００８１】
図６は、テレビ受像機３に、ディジタルチューナ装置２とともにＤＶＤプレーヤ４を接続した映像表示システム１０の構成を示す図である。ＤＶＤプレーヤ４は、ＤＶＤディスク（図示省略）を再生することによって映像信号を生成して出力する装置である。
【００８２】
ＤＶＤプレーヤ４は映像信号用ケーブル１３によってテレビ受像機３に接続され、この映像信号用ケーブル１３を介して、映像信号をテレビ受像機３に出力する。なお、映像信号用ケーブル１３はテレビ受像機３の画像処理部３６（図２）に接続される。
【００８３】
また、ＤＶＤプレーヤ４は、ディジタルチューナ装置２が備える通信制御部２４（図２）と同様の通信制御部を備えており、この通信制御部と、テレビ受像機３が備える通信制御部３４（図２）とが通信用ケーブル１４によって接続される。
そして、ＤＶＤプレーヤ４は、テレビ受像機３から通信用ケーブル１４を介して入力される制御情報に応じて、ＤＶＤプレーヤ４の操作画面に係る表示項目情報を、通信用ケーブル１４を介してテレビ受像機３へ出力する。
【００８４】
図７は、映像表示システム１０のテレビ受像機３の表示部３８に表示される画面の例を示す図である。図７に示す例では、表示部３８には３画面が表示されている。そして、表示部３８には、テレビ受像機３が内蔵するチューナ３５により選局されたテレビ放送の映像３０１と、ディジタルチューナ装置２からテレビ受像機３に入力された映像３１１と、ＤＶＤプレーヤ４からテレビ受像機３に入力された映像３２１とが表示されている。
【００８５】
また、映像３０１の下方には、テレビ受像機３の操作を行うための操作画面３０２が表示され、さらに、映像３１１の下方にはディジタルチューナ装置２の操作を行うための操作画面３１２が表示され、映像３２１の下方にはＤＶＤプレーヤ４の操作を行うための操作画面３２２が表示されている。
【００８６】
操作画面３０２は、リモコン装置３０の操作に応じて、テレビ受像機３において作成された画面である。また、操作画面３１２は、ディジタルチューナ装置２からテレビ受像機３に入力された表示項目情報に基づいてテレビ受像機３において作成された画面であり、操作画面３２２は、ＤＶＤプレーヤ４からテレビ受像機３に入力された表示項目情報に基づいてテレビ受像機３において作成された画面である。
【００８７】
つまり、操作画面３０２、操作画面３１２、および操作画面３２２は、いずれもテレビ受像機３において作成された画面であり、その画面構成、解像度、文字サイズ、表示領域サイズ等の表示形態は、ディジタルチューナ装置２およびＤＶＤプレーヤ４の仕様に依存せず、テレビ受像機３のメモリ３２が記憶する表示形態情報に従って統一される。このため、操作画面３０２、操作画面３１２、および操作画面３２２を操作するユーザは、全ての操作画面を同じ感覚で操作することができる。
【００８８】
これにより、テレビ受像機３に、外部の映像信号出力装置を複数接続した場合に、これら複数の外部の映像信号出力装置を操作するための操作画面の表示形態を統一することができ、操作性の向上を図ることができる。
【００８９】
また、表示部３８における表示方式を、図７に例示したような３画面表示から、２画面表示や１画面表示に変更する場合であっても、その都度、制御部３１によって最適な表示形態で操作画面が作成される。このように、操作画面の表示形態がディジタルチューナ装置２やＤＶＤプレーヤ４から入力される映像信号によって制限されないので、表示部３８における表示形式の変更を容易に行うことができる。
【００９０】
【発明の効果】
以上のように、本発明の映像表示システムによれば、テレビ受像機に接続された映像信号出力装置を操作するための操作画面をテレビ受像機の表示画面上に表示する際、操作画面の画面構成、解像度、文字サイズ、表示領域サイズ等の表示形態をテレビ受像機において決定することができるので、映像信号出力装置の種類や仕様に関係なく、操作画面の表示形態を統一することができ、映像表示システムの操作性を向上させることができる。また、ユーザが、１つの操作装置によってテレビ受像機と映像信号出力装置の両方に指示を行うことができ、操作性をより一層向上させることができる。
【図面の簡単な説明】
【図１】本発明の実施の形態における映像表示システムの概略構成を示す図である。
【図２】図１に示すディジタルチューナ装置およびテレビ受像機３の機能的構成を示すブロック図である。
【図３】図１に示す映像表示システムにおける操作画面を表示するまでの手順を示すフローチャートであり、図中、（ａ）はリモコン装置の動作を示し、（ｂ）はテレビ受像機の動作を示し、（ｃ）はディジタルチューナ装置の動作を示す。
【図４】図１に示す映像表示システムにおける操作画面に従ってディジタルチューナを操作する手順を示すフローチャートであり、図中、（ａ）はリモコン装置の動作を示し、（ｂ）はテレビ受像機の動作を示し、（ｃ）はディジタルチューナ装置の動作を示す。
【図５】図３（ａ）のステップＳ１７においてテレビ受像機３の表示部に表示される画面の例を示す図であり、（ａ）は１画面表示の例を示し、（ｂ）は２画面表示の例を示す。
【図６】本発明の他の実施の形態の例として、テレビ受像機に、ディジタルチューナ装置とともにＤＶＤプレーヤを接続した映像表示システムの構成を示す図である。
【図７】図６に示す映像表示システムのテレビ受像機３の表示部に表示される画面の例を示す図である。
【符号の説明】
１，１０…映像表示システム
２…ディジタルチューナ装置
３…テレビ受像機
３０…リモコン装置
４…ＤＶＤプレーヤ
１１，１３…映像信号用ケーブル
１２，１４…通信用ケーブル
２１…制御部
２２…メモリ
２３…リモコン受信部
２４…通信制御部
２５…チューナ制御部
２６…ディジタルチューナ
２７…デコーダ
３１…制御部
３２…メモリ
３３…リモコン受信部
３４…通信制御部
３５…チューナ
３６…画像処理部
３７…表示制御部
３８…表示部
【図１】
2004096659.tif 000003
【図２】
2004096659.tif 000004
【図３】
2004096659.tif 000005
【図４】
2004096659.tif 000006
【図５】
2004096659.tif 000007
【図６】
2004096659.tif 000008
【図７】
2004096659.tif 000009